(57)【特許請求の範囲】
【請求項１】
所定面積を有した基台（１）の上面部に折板屋根材（８）を長手方向に案内する案内ローラ（２）を設け、
上記基台（１）の下面に屋根の梁部材（６）上に固定されたタイトフレーム（７）を前後から挟持し得る前後一対の挟持板（３，３）を取付け、
該各挟持板（３，３）は、それらの一側縁（３ａ）を上記基台（１）の下面にヒンジ（３１）で枢支して、上記基台（１）の下面に沿って格納される水平姿勢と上記タイトフレーム（７）を前後から挟持し得る垂下姿勢との間で揺動自在に取付けているとともに、
上記両挟持板（３，３）で上記タイトフレーム（７）を挟持した状態で、上記両挟持板（３，３）を開放不能にロックするロック手段（４）を有している、
ことを特徴とする折板屋根材の搬入補助具。
【請求項２】
請求項１において、
上記各挟持板（３，３）を上記基台（１）の下面に沿って格納した状態で、上記各挟持板（３，３）を上記基台（１）の下面に磁石（３２）で磁気吸着させるようにしている、
ことを特徴とする折板屋根材の搬入補助具。
【請求項３】
請求項２において、
上記基台（１）の下面側における左右各側縁付近に、予め上記タイトフレーム（７）上に設置された折板屋根材（８）の左右側縁の各突起部（８２，８２）に係止させる係止部（１４，１４）をそれぞれ設けている、
ことを特徴とする折板屋根材の搬入補助具。
【発明の詳細な説明】
【技術分野】
【０００１】
本願発明は、折板屋根材を屋根の骨組み（梁部材上のタイトフレーム）上に搬入するのに用いられる折板屋根材の搬入補助具に関するものである。尚、以下の説明において、屋根の骨組みにおける、梁部材上に取付けられるタイトフレームの長さ方向（屋根の左右方向と一致する）を左右方向といい、該タイトフレームの長さ方向とは直交する方向（屋根の傾斜方向）を前後方向をいうことがある。
【背景技術】
【０００２】
工場や倉庫、体育館などの屋根には、鋼板を樋状（断面略Ｕ型）に折曲させた長尺の折板屋根材が広く使用されており、この折板屋根材を屋根の骨組み（梁部材上のタイトフレーム）上に順次左右に並設することで屋根を被覆している。
【０００３】
ところで、この種の折板屋根材は、屋根の骨組み（梁部材上のタイトフレーム）上に搬入させるのに、送り出し機で１体（１本）ずつ軒下側から棟側に向けて押し出すことで行われるが、そのとき折板屋根材をスムーズに移動（搬入）させるための搬入補助具を使用して行っている。
【０００４】
この種の一般的な搬入補助具としては、支持脚の上部に取付台を設け、該取付台の上面部に案内ローラ（回転ローラ）を設けたものが使用されている。そして、この搬入補助具は、折板屋根材の搬入位置において搬入方向に所定間隔（例えば６〜８ｍ間隔）をもって複数個を一列状態で配置するが、該各搬入補助具はそれぞれ不動姿勢で固定しておく必要がある。
【０００５】
ところで、従来では、上記搬入補助具を固定するのに、屋根の骨組みの直下位置に足場台を設置して該足場台上に支持脚を立設したり、あるいは足場台を設けない場合は支持脚を屋根の骨組みに番線で縛り付ける、などの方法で行っていたが、いずれの固定方法を採用しても、搬入補助具の設置作業が非常に面倒で且つ該搬入補助具の設置状態での安定性に不安が残るものであった。
【発明の概要】
【発明が解決しようとする課題】
【０００６】
そこで、本願発明は、折板屋根材を用いる屋根構造に必須の部材として用いられるタイトフレームを利用して、簡単に且つ安定姿勢で設置できるようにした折板屋根材の搬入補助具を提供するものである。
【課題を解決するための手段】
【０００７】
本願発明は、上記課題を解決するための手段として次の構成を有している。尚、本願発明は、折板屋根材を屋根の骨組み上に搬入するための搬入補助具を対象としたものである。又、本願の発明の名称は「折板屋根材の搬入補助具」であるが、以下の説明では、これを単に「搬入補助具」ということがある。
【０００８】
［本願請求項１の発明］
本願請求項１の発明の搬入補助具は、添付の図面に例示するように、次の構成を有している。尚、この搬入補助具に取付対象となるタイトフレーム７は、使用する折板屋根材８の折曲形状に対応した凹部７１の両側にそれぞれ凸部（山部）７２，７２を連続させた形状である。
【０００９】
そして、本願請求項１の搬入補助具は、所定面積の基台１を有し、該基台１の上面部に折板屋根材８を長手方向に案内する案内ローラ２を設けている一方、上記基台１の下面に屋根の梁部材６上に固定されたタイトフレーム７を前後から挟持し得る前後一対の挟持板３，３を取付けている。
【００１０】
又、上記各挟持板３，３は、それらの一側縁３ａを基台１の下面にヒンジ３１で枢支して、基台１の下面に沿って格納される水平姿勢とタイトフレーム７を前後から挟持し得る垂下姿勢との間で揺動自在に取付けている。そして、両挟持板３，３を上記垂下姿勢とした状態では、該各挟持板３，３の対向面がそれぞれタイトフレーム７の前後各面に接触し得るようになっている。
【００１１】
さらに、この搬入補助具には、両挟持板３，３でタイトフレーム７を挟持した状態で、該両挟持板３，３を開放不能にロックするロック手段４を有している。このロック手段４としては、両挟持板３，３を開放不能にロックし得るものであれば適宜のものでよく、例えば両挟持板３，３をビスで固定するようにしてもよい。
【００１２】
本願請求項１の搬入補助具は、折板屋根材８を搬入すべき屋根の骨組み上に、該折板屋根材８の搬入方向（前後方向）に所定間隔（例えば６〜８ｍ間隔）をもって複数個設置するが、その各設置箇所への取付作業は、次のように行う。即ち、基台１下面の両挟持板３，３が梁部材６上のタイトフレーム７を前後に跨ぐ状態で基台１をタイトフレーム７上に載せ、各挟持板３，３をそれぞれ垂下姿勢にして該両挟持板３，３でタイトフレーム７を前後から挟み、その状態で両挟持板３，３をロック手段４で開放不能にロックすることで、この搬入補助具の取付作業は完了する。尚、各搬入補助具は、同様に、前後に所定間隔をもって必要個数だけ一列に並ぶように取付けられる。
【００１３】
そして、折板屋根材８を屋根の骨組み上に搬入するには、送り出し機１０から送り出される折板屋根材８の先端側を最手前位置に設置している搬入補助具の基台上面（案内ローラ２）に載せて押し込んでいくと、該折板屋根材８の先端側が２番目以降の各搬入補助具の基台上面（案内ローラ２）に順次乗り移っていき、該折板屋根材８の全長さが最終位置まで搬入された後、その折板屋根材８を各搬入補助具上からその近傍の各タイトフレーム７上に載せ変える。尚、折板屋根材８を各搬入補助具上からタイトフレーム７上に載せ変えるには、専用の載せ変え機を使用したり、あるいは複数の作業員の人力でも行える。
【００１４】
［本願請求項２の発明］
本願請求項２の発明は、上記請求項１の搬入補助具において、各挟持板３，３を基台１の下面に沿って格納した状態で、各挟持板３，３を基台１の下面に磁石３２で磁気吸着させるようにしていることを特徴としている。
【００１５】
この請求項２の搬入補助具では、各挟持板３，３を基台１の下面に沿って格納させた状態で磁石３２により磁気吸着させておくと、この搬入補助具の持ち運び時や保管時等に基台下面に各挟持板３，３が垂下しない。
【００１６】
［本願請求項３の発明］
本願請求項３の発明は、上記請求項２の搬入補助具において、基台１の下面側における左右各側縁付近に、予めタイトフレーム７上に設置された折板屋根材８の左右側縁の各突起部８２，８２に係止させる係止部１４，１４をそれぞれ設けていることを特徴としている。
【００１７】
この請求項３の搬入補助具では、使用形態として、上記請求項１のように屋根の骨組み（タイトフレーム）上にセットする場合のほかに、予め屋根の骨組み（タイトフレーム）上に設置された既設の折板屋根材８の上に載せてセットすることができる。即ち、この請求項３の搬入補助具では、予め屋根の骨組み上に設置された折板屋根材８の左右各突起部８２，８２に、本願の搬入補助具の左右各係止部１４，１４をそれぞれ上方から嵌合させることで、この搬入補助具を折板屋根材８上に静止状態でセットできる。そして、同様に複数個の搬入補助具を単一の折板屋根材８の長さ方向に所定間隔（例えば６〜８ｍ間隔）をもって配置することで、各搬入補助具を既設の折板屋根材８上に一列状態でセットできる。
【００１８】
この請求項３の搬入補助具を用いた使用形態でも、請求項１の場合と同様に、送り出し機から送り出される折板屋根材８の先端側を最手前位置に設置している搬入補助具の基台上面（案内ローラ２）に載せて押し込んでいくと、該折板屋根材８の先端側が２番目以降の搬入補助具の基台上面（案内ローラ２）に順次乗り移っていき、その新設（上側）の折板屋根材８の全長さが既設（下側）の折板屋根材８上の最終位置まで搬入された後、その新設（上側）の折板屋根材８をその近傍の各タイトフレーム７上に載せ変える。
【発明の効果】
【００１９】
［本願請求項１の発明の効果］
本願請求項１の発明の搬入補助具は、上面部に折板屋根材８を長手方向に案内する案内ローラ２を設けた基台１の下面に、屋根の梁部材６上に固定されたタイトフレーム７を前後から挟持し得る前後一対の挟持板３，３を取付けているとともに、両挟持板３，３でタイトフレーム７を挟持した状態で該両挟持板３，３を開放不能にロックするロック手段４を有して構成されている。
【００２０】
そして、この請求項１の搬入補助具では、基台１をタイトフレーム７上に載せ、各挟持板３，３をそれぞれ垂下姿勢にして該両挟持板３，３でタイトフレーム７を前後から挟み、その状態で両挟持板３，３をロック手段４でロックすることで、搬入補助具の取付けが完了するので、該搬入補助具をタイトフレーム７に対して簡単に取付けることができるという効果がある。
【００２１】
さらに、この搬入補助具では、両挟持板３，３でタイトフレーム７を前後から挟持し且つ両挟持板３，３をロック手段４で開放不能にロックできるので、搬入補助具をタイトフレーム７に対して安定姿勢で且つ強固に固定することができるという効果がある。
【００２２】
［本願請求項２の発明の効果］
本願請求項２の発明は、上記請求項１の搬入補助具において、各挟持板３，３を基台１の下面に沿って格納した状態で、各挟持板３，３を基台１の下面に磁石３２で磁気吸着させるようにしている。
【００２３】
従って、この請求項２の搬入補助具では、上記請求項１の効果に加えて、各挟持板３，３を基台１の下面に格納させた状態で磁石３２により磁気吸着させておくと、基台下面に各挟持板３，３が垂下しないので持ち運び時や保管時等に搬入補助具をコンパクトにできるとともに、該各挟持板３，３がグラつかないので搬入補助具の取り扱いが容易となるという効果がある。
【００２４】
［本願請求項３の発明の効果］
本願請求項３の発明は、上記請求項２の搬入補助具において、基台１の下面側における左右各側縁付近に、予めタイトフレーム７上に設置された折板屋根材８の左右側縁の各突起部８２，８２に係止させる係止部１４，１４をそれぞれ設けている。
【００２５】
従って、この請求項３の搬入補助具では、上記請求項１及び２の効果に加えて、請求項１のように屋根の骨組み（タイトフレーム）上にセットする場合のほかに、予め屋根の骨組み上に設置された既設の折板屋根材８の上に載せてセットするという使用形態を採用できるという効果がある。
【図面の簡単な説明】
【００２６】
【図１】本願実施例の折板屋根材の搬入補助具とその関連部材の斜視図である。
【図２】図１のII−II拡大断面図である。
【図３】図１の搬入補助具をタイトフレームに装着した状態の図２相当図である。
【図４】図３のIV矢視図である。
【図５】図１の搬入補助具の使用形態説明図である。
【図６】図１の搬入補助具の他の使用形態説明図である。
【図７】図６のVII−VII拡大矢視図である。
【発明を実施するための形態】
【００２７】
図１〜図７を参照して本願実施例の折板屋根材の搬入補助具を説明すると、この実施例の搬入補助具Ｚは、折板屋根材８を屋根の骨組み（梁部材６上のタイトフレーム７）上に搬入するのに用いられるものである。尚、以下の実施例の説明においても、屋根の骨組みにおける、梁部材６上に取付けられるタイトフレーム７の長さ方向（屋根の左右方向と一致する）を左右方向といい、該タイトフレーム７の長さ方向とは直交する方向（屋根の傾斜方向）を前後方向をいうことがある。
【００２８】
この実施例で対象としている折板屋根材８は、図１〜図４に示すように、中央部の凹溝部８１の左右両側部にそれぞれカシメ部となる突起部８２，８２を設けたものである。この各突起部８２，８２は、屋根の骨組み上に隣接される別の折板屋根材８の側部（突起部）とカシメ結合されるものである（図７参照）。
【００２９】
又、この実施例で採用される折板屋根材８は、左右突起部８２，８２間の間隔が５００mm程度のものを対象にしている。尚、この種の折板屋根材８は、長いものでは７０ｍ超のものがある。
【００３０】
折板屋根材８の各突起部８２，８２のそれぞれ内側には、短い棚部８３が設けられており、後述するように（図６、図７参照）、この搬入補助具Ｚを折板屋根材８の上に載せて設置する場合には、各突起部内側の両棚部８３，８３が搬入補助具Ｚの載せ台となる。
【００３１】
この折板屋根材８が葺設される屋根の骨組みとしては、図５又は図６に示すように、屋根の傾斜方向（前後方向）に所定間隔（例えば３.５ｍ間隔）をもって多数の梁部材６，６・・を配置している。そして、各梁部材６，６・・の上部には、それぞれタイトフレーム７，７・・が順次連続する状態で溶接固定されている。
【００３２】
タイトフレーム７は、図１〜図４に示すように、適用される折板屋根材８の凹溝部８１に対応する形状の凹部７１の両側にそれぞれ山部７２，７２を一体に連続させたものである。このタイトフレーム７における２つの山部７２，７２間の間隔は、折板屋根材８の左右幅と同じ５００mmである。又、タイトフレーム７の各山部７２，７２の高さは１８０mm程度であり、タイトフレーム７の前後幅は、４５mm程度である。
【００３３】
図１〜図４に示す搬入補助具Ｚは、上記折板屋根材８及び上記タイトフレーム７に適用されるものである。そして、この搬入補助具Ｚは、所定面積を有した矩形の基台１の上面部に折板屋根材８を長手方向に案内する案内ローラ２を設けているとともに、上記基台１の下面に屋根の梁部材６上に固定されたタイトフレーム７を前後から挟持し得る前後一対の挟持板３，３を取付けて構成されている。
【００３４】
基台１は、金属板（例えば亜鉛鉄板や鋼板）製で、所定面積の矩形に形成されている。この実施例では、基台１の大きさとして、前後幅が４５０mmで左右幅が５５０mm程度のものを採用している。尚、この基台１の左右幅（５５０mm）は、搬入対象となる折板屋根材８の左右側縁の各突起部８２，８２間の間隔（５００mm）よりやや（５０mm程度）広くなるように設定している。
【００３５】
基台１の前後各側縁には、それぞれ所定小高さ（例えば４０mm程度）の垂下片１１，１１を設け、該垂下片１１，１１の下端を内向きに横曲げ（符号１１ａ）しているとともに、該横曲げ片１１ａ（図２、図３参照）の下面にゴム製の緩衝材１２を取付けている。他方、基台１の左右各側縁には、それぞれ小高さ（例えば１５mm程度）の下曲げ部１３，１３を設けている。
【００３６】
基台１の下面側における左右各側縁付近には、折板屋根材８の左右側縁の各突起部８２，８２に係止させる係止部１４，１４をそれぞれ設けている。この各係止部１４，１４は、下向きに開放する凹溝状のものであって、後述する（図６及び図７）ように、タイトフレーム７上に固定した既設の折板屋根材８の左右側縁の各突起部（かしめ部）８２，８２にそれぞれ嵌合して、基台１を左右に位置決めするものである。具体的には、各係止部１４，１４は、図７に示すように、前後の各垂下片１１，１１が既設の折板屋根材８の左右両突起部（かしめ部）８２，８２間に入り込んで該係止部１４の一部となる垂下片１１の左右各端部１４ａ，１４ａ（図７参照）が左右の各突起部（かしめ部）８２，８２で位置決めされるようになっている。
【００３７】
基台１の上面部に設けた案内ローラ２は、折板屋根材８の底面を載せる前後２つの底部ローラ２１，２１と、折板屋根材８の左右側面をガイドする各側部ローラ２２，２２とを有している。尚、この案内ローラ２（底部ローラ２１と側部ローラ２２）は、基台１上に載せた折板屋根材８が長手方向にスムーズに移動できるとともに左右に脱落しないようにガイドするものであれば、適宜の構成のものを採用できる。
【００３８】
基台１の下面には、前後一対の挟持板３，３が取付けられている。この各挟持板３，３は、亜鉛鉄板又は鋼板製の矩形形状であって、左右幅が４７０mm程度で上下幅が１４０mm程度の大きさのものが採用されている。尚、この挟持板３の大きさは、特に限定するものではない。
【００３９】
この各挟持板３，３は、左右に長い姿勢状態で、その長辺側の一側縁３ａ，３ａを基台１の下面にヒンジ３１，３１で枢支して、基台１の下面に沿って格納される水平姿勢（図２の符号３）とタイトフレーム７を前後から挟持し得る垂下姿勢（図２の符号３′）との間で上下に揺動自在に取付けている。尚、この各ヒンジ３１は、１枚の挟持板３につき左右に離間した２箇所に設けられている。
【００４０】
又、この各挟持板３，３のヒンジ連結部（長辺側の側縁３ａの位置）は、両挟持板３，３がそれぞれ垂下姿勢（図３の状態）のときに、該各挟持板３，３の内面がそれぞれタイトフレーム７の前後各側面に対して平行に接触するような条件で位置決めされている。
【００４１】
各挟持板３，３には、図３及び図４に示すように、両挟持板３，３でタイトフレーム７を前後から挟持した状態で、両挟持板３，３を開放不能にロックするロック手段４を有している。この実施例のロック手段４は、各挟持板３，３の短辺側の左右各側縁３ｂ，３ｂに取付けた揺動自在な揺動板４１，４１を図３及び図４に示すように合体させた状態で、両揺動板４１，４１を止着具（例えばビス）４２で開放不能に固定し得るようにしたものを採用している。尚、止着具４２としてビスを使用するものでは、一方の揺動板４１にビス挿通穴を形成する一方、他方の揺動板４１にネジ穴を形成することで、両挟持板３，３を重合させた状態で両穴にビス４２を通して該両挟持板３，３を結着（ロック）することができる。尚、上記各揺動板４１，４１は、挟持板３の格納時には該挟持板３の上面側（基台下面との間）に折り畳んでおくと邪魔にならない。
【００４２】
基台１の下面には、図１及び図２に示すように、各挟持板３，３を基台下面に沿って水平姿勢に格納した状態で、該各挟持板３，３をそれぞれ磁気吸着させる磁石３２，３２を取付けている。
【００４３】
この実施例の搬入補助具Ｚは、持ち運び時又は保管時には、図１及び図２に示すように前後の両挟持板３，３を基台１の下面に沿って水平姿勢で格納しておけば、基台１の下面に両挟持板３，３を有していても、該両挟持板３，３が邪魔にならない。又、各挟持板３，３は、上記格納姿勢でそれぞれ磁石３２，３２によって基台１の下面に磁気吸着されているので、挟持板３，３の格納姿勢では該各挟持板３，３がそれぞれ基台１の下面から不用意に離脱して垂下することがない。従って、この搬入補助具Ｚの取り扱いが容易となる。
【００４４】
そして、この実施例の搬入補助具Ｚは、図５に示す第１使用例と図６〜図７に示す第２使用例との２通りの使用方法を採用できるが、以下それぞれの使用例について説明する。
【００４５】
図５に示す第１使用例では、この実施例の搬入補助具Ｚを、屋根の骨組み（梁部材６）上に取付けているタイトフレーム７に固定するものである。尚、図５の使用例では、各梁部材６，６・・は前後方向に所定間隔（例えば３.５ｍ間隔）をもって設置されているとともに、各梁部材６，６・・の上面にはそれぞれ図１及び図４に示すようなタイトフレーム７が左右方向に連続する状態で多数固定（溶接）されている。
【００４６】
そして、図５の第１使用例では、複数の搬入補助具Ｚを、１つ置き（約７ｍ間隔になる）の梁部材６，６・・上の各タイトフレーム７，７・・に前後方向に一列状態で取付けるが、その搬入補助具Ｚの取付けは次のようにして行う。
【００４７】
まず、図２に示すように、１つ目の搬入補助具Ｚを、案内ローラ２が折板屋根材８を前後方向にガイドし得る姿勢で且つ前後の各挟持板３，３を基台下面に沿って格納した状態で、基台１の下面の前後中央部をタイトフレーム７上に載せるが、そのとき前後方向から見て各挟持板３の左右各端部をタイトフレーム７の左右の各山部７２，７２（図４参照）に一部に被せ得るように位置決めするとよい。
【００４８】
次に、格納状態にある各挟持板３，３の自由端側を強く下方に引き下げて各挟持板３，３を磁石３２による磁気吸着から剥がすと、該各挟持板３，３が自重でそれぞれ下方に回動し、各挟持板３，３が図３に示すようにタイトフレーム７の前後各側面に当接するようになる。この状態では、図４に示すように各挟持板３，３の左右各端部寄り部分がタイトフレーム７の左右の各山部７２，７２に跨がっている。
【００４９】
次に、両挟持板３，３の左右各側縁３ｂ，３ｂにあるそれぞれ一対の揺動板４１，４１を図３及び図４に示すように合体（重合）させた状態で、その左右２箇所の重合揺動板４１，４１をそれぞれ止着具（ビス）４２で結着させることで、タイトフレーム７を前後かに挟持した状態で両挟持板３，３を開放不能にロックできる。
【００５０】
このように搬入補助具Ｚをタイトフレーム７上に設置した状態では、両挟持板３，３でタイトフレーム７を前後から挟持し、且つ両挟持板３，３がロック手段４，４で開放不能にロックされているので、搬入補助具Ｚが位置ずれしたりグラついたりすることがなくなり、安定姿勢で固定されることになる。
【００５１】
そして、２つ目以降の各搬入補助具Ｚ，Ｚ・・を、先に設置した搬入補助具Ｚと前後方向同位置で且つ１つ置きの位置にある各梁部材６のタイトフレーム７上に、上記と同様の作業で順次取付けていき、図５に示すように搬入補助具Ｚを必要個数だけ前後一列に並べて設置する。
【００５２】
この各搬入補助具Ｚ，Ｚ・・を用いて折板屋根材を屋根の骨組み上に搬入するには、図５に示すように、送り出し機１０から送り出される折板屋根材８の先端側を最手前位置に設置している搬入補助具Ｚの基台上面（案内ローラ２）に載せて押し込んでいくと、該折板屋根材８の先端側が２番目以降の各搬入補助具Ｚの基台上面（案内ローラ２）に順次乗り移っていく。そして、折板屋根材８の全長さが符号８′で示すように最終位置まで搬入されると当該折板屋根材８′の搬入作業が終了し、その後、各搬入補助具Ｚ，Ｚ・・上に載せられている折板屋根材８′を各搬入補助具上から符号８″で示すようにその左右近傍位置の前後方向に並んでいる各タイトフレーム７，７・・上に載せ変える。尚、折板屋根材８を各搬入補助具上からタイトフレーム７上に載せ変えるには、専用の載せ変え機を使用したり、あるいは複数の作業員の人力でも行える。
【００５３】
その後、空になった各搬入補助具Ｚ，Ｚ・・の設置レーン上に、送り出し機１０から次の折板屋根材８を送り出し、上記と同様にその折板屋根材８の先端側を各搬入補助具Ｚの基台１上に順次乗り移して、折板屋根材の全長が最終位置（符号８′の状態）まで搬入された後、その左右近傍位置の前後方向に並んでいる各タイトフレーム７，７・・上に載せ変える。このような操作を同位置で数回（５〜１０回）繰り返して、搬入補助具Ｚの設置レーン付近への複数の折板屋根材の搬入が完了すると、各タイトフレーム７，７・・上に設置していた各搬入補助具Ｚ，Ｚ・・をそれぞれ次の作業位置に移設して、そこで同様の折板屋根材搬入作業を行う。
【００５４】
図６及び図７に示す第２使用例では、この実施例の搬入補助具Ｚを、予め屋根の骨組み上に設置した既設の折板屋根材８を利用して設置するようにしている。
【００５５】
即ち、屋根の骨組み上に設置される折板屋根材８は、その隣接する各端縁同士がタイトフレーム７上の吊り子部分でかしめ結合（符号８２）されるが、その各かしめ部は、上向きの突起部８２，８２となっている。
【００５６】
他方、基台１の下面側における左右各側縁付近には、上記したように折板屋根材８の左右側縁の各突起部（かしめ部）８２，８２に係止させる係止部１４，１４をそれぞれ設けている。具体的には、この各係止部１４，１４は、図７に示すように、基台１の前後の各垂下片１１，１１が既設の折板屋根材８の左右両突起部（かしめ部）８２，８２間に入り込んで、係止部１４の一部となる垂下片１１の左右各端部１４ａ，１４ａが左右の各突起部（かしめ部）８２，８２で位置決めされるようになっている。
【００５７】
そして、図６及び図７に示す第２使用例では、予め屋根の骨組み（タイトフレーム７）上に設置された既設の折板屋根材８の左右各突起部８２，８２に、搬入補助具Ｚの左右各係止部１４，１４をそれぞれ上方から嵌合させることで、この搬入補助具Ｚを折板屋根材８上に静止状態でセットできる。具体的には、図７に示すように、基台１の前後各垂下片１１部分を折板屋根材８の上方から該折板屋根材８の左右両突起部（かしめ部）８２，８２間に落とし込むと、垂下片１１下面の緩衝材１２の左右各端部が折板屋根材８の左右各棚部８３，８３上に載るとともに、垂下片１１の左右各端部１４ａ，１４ａがそれぞれ各突起部８２，８２に近接していることで、搬入補助具Ｚが既設の折板屋根材８上で静止状態で位置決めされるようになる。
【００５８】
同様に、図６に示すように所定個数の搬入補助具Ｚ，Ｚ・・を共通の折板屋根材８上に前後所定間隔（１つ置きの梁部材６上で約７ｍ間隔）をもって配置することで、各搬入補助具を一列状態でセットできる。
【００５９】
そして、この第２使用例では、図６に示すように、送り出し機１０から送り出される折板屋根材８の先端側を最手前位置に設置している搬入補助具Ｚの基台上面（案内ローラ２）に載せて押し込んでいくと、該折板屋根材８の先端側が２番目以降の搬入補助具Ｚの基台上面（案内ローラ２）に順次乗り移っていくき、その新設（上側）の折板屋根材８の全長さが既設（下側）の折板屋根材８上の最終位置まで搬入された後、その新設（上側）の折板屋根材８を複数の作業員の人力により各搬入補助具上からその近傍の各タイトフレーム７上に載せ変える。その後、空になった各搬入補助具Ｚ，Ｚ・・上に送り出し機１０から次の折板屋根材８を送り込むことによって、単一箇所で複数の折板屋根材８を搬入させることができる。
【００６０】
上記実施例の搬入補助具Ｚには、次のような各機能がある。
【００６１】
基台１をタイトフレーム７上に載せ、各挟持板３，３をそれぞれ垂下姿勢にして該両挟持板３，３でタイトフレーム７を前後から挟み、その状態で両挟持板３，３をロック手段４でロックすることで、搬入補助具Ｚの取付けが完了するので、該搬入補助具Ｚをタイトフレーム７に対して簡単に取付けることができるとともに、両挟持板３，３をロック手段４で開放不能にロックできるので、搬入補助具Ｚをタイトフレーム７に対して安定姿勢で且つ強固に固定することができる。
【００６２】
又、各挟持板３，３は、基台１の下面に沿って格納した状態で、基台１の下面に磁石３２で磁気吸着させ得るようにしているので、この搬入補助具の持ち運び時や保管時等にコンパクトにできるとともに、該各挟持板３，３がグラつかないので搬入補助具Ｚの取り扱いが容易となる。
【００６３】
さらに、基台１の下面側における左右各側縁付近に、予めタイトフレーム７上に設置された折板屋根材８の左右側縁の各突起部８２，８２に係止させる係止部１４，１４をそれぞれ設けているので、この搬入補助具Ｚを図５に示すように屋根の骨組み（タイトフレーム７）上にセットする場合のほかに、予め屋根の骨組み上に設置された既設の折板屋根材８の上に載せてセットするという使用形態も採用できる。
【符号の説明】
【００６４】
１は基台、２は案内ローラ、３は挟持板、４はロック手段、６は梁部材、７はタイトフレーム、８は折板屋根材、１４は係止部、２１は底部ローラ、２２は側部ローラ、３１はヒンジ、３２は磁石、８２は突起部、Ｚは搬入補助具である。
【図１】
0006475102.tif 000002
【図２】
0006475102.tif 000003
【図３】
0006475102.tif 000004
【図４】
0006475102.tif 000005
【図５】
0006475102.tif 000006
【図６】
0006475102.tif 000007
【図７】
0006475102.tif 000008